(57)【特許請求の範囲】
【請求項１】
粉原料を湯水と混合する混合器から湯気を吸引して排出する飲料供給装置の湯気排出構造において、
前記混合器から前記湯気を吸引して排出する負圧を発生する負圧発生源と、
前記負圧発生源と前記混合器との間に形成され、前記負圧によって内部を負圧の状態にされた負圧室と、
前記負圧室に配置され、前記混合器に一様に前記負圧をかける複数の開孔を形成された開孔パネルを有し、
前記開孔パネルは、前記負圧室との間に所定の隙間を有するように装着され、前記粉原料の堆積によって前記開孔が閉塞したとき前記隙間を介して前記湯気を排出する構成を有することを特徴とする飲料供給装置の湯気排出構造。
【発明の詳細な説明】
【０００１】
【発明の属する技術分野】
本発明は飲料供給装置の湯気排出構造に関し、特に、湯気とともに吸引される粉原料の付着に基づく湯気排出性の低下を防止するようにした飲料供給装置の湯気排出構造に関する。
【０００２】
【従来の技術】
従来、粉末状、粒状の原料と湯水を混合してカップに供給する飲料供給装置が知られている。
【０００３】
このような飲料供給装置において、上記した粉末状、粒状の原料と湯水を混合するミキシングボールを有するものがある。このミキシングボールは、選択された飲料に応じて原料貯蔵部から粉原料シュートを介して供給される原料と、湯水の供給部から供給される湯水をモータに装着された攪拌羽で攪拌し、混合された飲料をカップに供給している。
【０００４】
図４は、従来の飲料供給装置を部分的に示し、飲料に応じた粉原料を貯蔵する粉原料貯蔵部１と、貯蔵されている粉原料を供給する粉原料供給部２と、粉原料供給部２に設けられる粉原料の送り出し機構（図示せず）を回転させる回転軸３と、回転軸３に伝達される回転力を所定の回転速度に減速して伝達する減速部４と、減速部４を固定する支持板５と、回転軸３に伝達される回転力を発生させるモータ６と、粉原料供給部２から粉原料シュート部８を介して供給される粉原料と湯水を攪拌して混合するミキシングボール部９を有する。
【０００５】
粉原料貯蔵部１は、飲料に応じて分割された貯蔵容器１Ａ，１Ｂ，１Ｃ，１Ｄ，１Ｅ，１Ｆ，及び１Ｇを有する。粉原料供給部２は、貯蔵容器１Ａ，１Ｂ，１Ｃ，１Ｄ，１Ｅ，１Ｆ，及び１Ｇから粉原料を送り出す粉原料供給口２Ａ，２Ｂ，２Ｃ，２Ｄ，２Ｅ，２Ｆ，及び２Ｇを有する。粉原料供給部２の下方に配置される粉原料シュート部８は、粉原料供給口２Ａ，２Ｂ，２Ｃ，２Ｄ，２Ｅ，２Ｆ，及び２Ｇから送り出される粉原料を受けるシュート８Ａ，８Ｂ，８Ｃ，８Ｄ，及び８Ｅを有し、シュート８Ｅは粉原料供給口２Ｅ，２Ｆ，及び２Ｇから送り出される粉原料を受容するように形成されている。また、シュート８Ａ，８Ｂ，８Ｃ，８Ｄ，及び８Ｅは、取付片８ａによって支持板５の下部に配置される可動部７に開口５Ａを介して装着されている。ミキシングボール部９は、シュート８Ａ，８Ｂ，８Ｃ，８Ｄ，及び８Ｅを介してミキシングボール９Ａ，９Ｂ，９Ｃ，９Ｄ，及び９Ｅに供給される粉原料と湯水を攪拌し、混合された飲料を飲料供給パイプ９ａを介して供給する。ミキシングボール９Ａ，９Ｂ，９Ｃ，９Ｄ，及び９Ｅにおける粉原料と湯水の攪拌は、台１０ａに装着された攪拌モータ１０Ａ，１０Ｂ，１０Ｃ，１０Ｄ，及び１０Ｅによって行われる。同図においてはミキシングボール９Ｅに装着された攪拌モータ１０Ｅのみを図示しているが、他のミキシングボール９Ａ，９Ｂ，９Ｃ，及び９Ｄについても同様の構成を有している。
【０００６】
図５は、ミキシングボール部９の湯気排出構造を示し、ミキシングボール９Ｂ，９Ｃ，９Ｄ，及び９Ｅの背面側に設けられるホース接続部９ｂと、攪拌モータ１０Ｂ，１０Ｃ，１０Ｄ，及び１０Ｅをミキシングボールの所定の位置に固定するモータ固定部材１０ｂと、ミキシングボールのそれぞれのホース接続部９ｂに接続されるホース１１Ｂ，１１Ｃ，１１Ｄ，及び１１Ｅと、ホース１１Ｂ，１１Ｃ，１１Ｄ，及び１１Ｅを接続するホース接続部１２Ｂ，１２Ｃ，１２Ｄ，及び１２Ｅを有する排気ファンユニット１２を有し、排気ファンユニット１２は、内蔵されたファン（図示せず）の回転によってホース１１Ｂ，１１Ｃ，１１Ｄ，及び１１Ｅを介してミキシングボール９Ｂ，９Ｃ，９Ｄ，及び９Ｅから湯気を吸引し、飲料供給装置の外部に排出している。同図においてはミキシングボール９Ａを図示省略しているが、このミキシングボール９Ａについても他のミキシングボールと同様にホース１１Ａを介して排気ファンユニット１２に接続されている。
【０００７】
上記した構成では、ミキシングボール部９で粉原料と湯の混合時に生じる湯気によって粉原料シュート部８を湿らせることがないので、粉原料の付着による粉原料シュート部８の詰まりが防止される。
【０００８】
【発明が解決しようとする課題】
しかし、従来の飲料供給装置の湯気排出構造によると、ミキシングボール部から湯気を吸引するときに粉原料も同時に吸引されることがあるため、販売動作が頻繁に行われるミキシングボールでは湯気の吸引経路に粉原料が付着することによる吸引効率の低下や、粉原料の堆積による詰まりが生じて湯気を吸引できなくなることがある。また、複数のミキシングボールを有する飲料供給装置では湯気の吸引経路となる複数のホースが設けられているため、複雑化、大型化するという問題がある。
従って、本発明の目的は粉原料の付着による湯気の吸引効率の低下、及び詰まりを生じることなく、吸引経路のコンパクト化を図ることのできる飲料供給装置の湯気排出構造を提供することにある。
【０００９】
【課題を解決するための手段】
本発明は上記目的を達成するため、粉原料を湯水と混合する混合器から湯気を吸引して排出する飲料供給装置の湯気排出構造において、前記混合器から前記湯気を吸引して排出する負圧を発生する負圧発生源と、前記負圧発生源と前記混合器との間に形成され、前記負圧によって内部を負圧の状態にされた負圧室と、前記負圧室に配置され、前記混合器に一様に前記負圧をかける複数の開孔を形成された開孔パネルを有し、前記開孔パネルは、前記負圧室との間に所定の隙間を有するように装着され、前記粉原料の堆積によって前記開孔が閉塞したとき前記隙間を介して前記湯気を排出する構成を有する飲料供給装置の湯気排出構造を提供する。
【００１０】
上記する飲料供給装置の湯気排出構造において、負圧室は、複数の混合器に接続され、内部にアクセスできるように分割可能な筐体によって構成されることが好ましい。
【００１１】
【発明の実施の形態】
以下、本発明の飲料供給装置の湯気排出構造を図面を参照して詳細に説明する。
【００１２】
図１は、本発明の実施の形態における飲料供給装置の湯気排出構造を部分的に示し、攪拌モータ１０Ｅと接続されてミキシングボール９Ｅの内部に配置されるシャフト１３と、シャフト１３の上方に装着される水流安定部材１３Ａと、ミキシングボール９Ｅの下部に位置してシャフト１３に装着された水流安定１３Ｂと、シャフト１３に取り付けられた攪拌羽１４と、ミキシングボール９Ｅから湯気を吸引して排気する湯気吸引部１５を有する。また、ミキシングボール９Ｅ以外の図示しない他のミキシングボールについても同一の構成を有している。
【００１３】
水流安定部材１３Ａは、ミキシングボール９Ｅに湯を満たして攪拌羽１４で内部の攪拌洗浄を行う際に、水面付近の湯の流れを安定させるものであり、水流安定部材１３Ｂは、ミキシングボール９Ｅに供給された粉原料及び湯水を攪拌羽１４で攪拌する際に水面の落ち込みを防止する。
【００１４】
湯気吸引部１５は、ミキシングボール９Ｅから湯気を取り込む複数の開口部（後述）を設けられた上部筐体１６と、ミキシングボール９Ｅから上部筐体１６に湯気を誘導する湯気誘導部１７と、ミキシングボール９Ｅの装着側と反対の方向に着脱可能に装着される蓋部１８と、上部筐体１６の内部に着脱可能に設けられるパネル部１９と、パネル部１９の略全面に均一に形成される複数の挿通孔１９Ａと、上部筐体１６と分割可能に形成される下部筐体２０と、下部筐体２０の内部に形成される湯気排出ダクト２１と、下部筐体２０から湯気排出ダクト２１を介して湯気を排出する湯気排出口２２と、図示しないファンを回転させて湯気の吸引を行うブロア２３を有する。
【００１５】
蓋部１８は、上部筐体１６の上部内壁から背面側内壁を覆うように装着されており、ミキシングボール９Ｅの装着側と反対の背面側から着脱することによってこの部分に付着した粉原料の堆積物を除去することができる。
【００１６】
図２は、図１に示す飲料供給装置の湯気排出構造を分解して示し、上部筐体１６の内部に設けられるパネル部１９は、ブロア２３の回転によって負圧が生じると上部筐体１６側から挿通孔１９Ａを介して湯気を吸引する際に孔の径，数，及び配列に応じた圧損を生じる。この圧損はミキシングボール９Ａ，９Ｂ，９Ｃ，９Ｄ，及び９Ｅから吸引される湯気の吸気量を均等化する。また、挿通孔１９Ａを介して湯気を吸引することでパネル部１９がフィルタとして機能し、粉原料の通過を阻止する。
【００１７】
また、パネル部１９は、上部筐体１６の長辺方向のサイズより若干小なるサイズで形成されており、上部筐体１６と下部筐体２０との間に配置されて組み立てられると長辺方向の両端部に隙間Ｌが形成される。この隙間Ｌは、パネル部１９の挿通孔１９Ａが粉原料の堆積によって詰まりを生じたときにバイパス経路として機能するようになっており、湯気を下部筐体２０に設けられるダクト入口２０Ａに導くように構成されている。
【００１８】
上部筐体１６と下部筐体２０は、止めネジ２４によって着脱可能に固定されており、清掃、点検等の必要に応じて分解することができる。
【００１９】
以下に、本発明の飲料供給装置の湯気排出構造の動作を説明する。同図においてはミキシングボール９Ｅから吸引される湯気の流れを説明する。
【００２０】
図３は、ブロア２３の回転に基づく湯気の流れを示し、ブロア２３の回転に基づいて負圧が生じると、開口部１６Ｅから上部筐体１６に湯気が吸引される。この湯気はパネル部１９の挿通孔１９Ａを介して湯気排出ダクト２１に流れる。挿通孔１９Ａは、孔の径に応じた圧損を生じることによって開口部１６Ａ，１６Ｂ，１６Ｃ，１６Ｄ，及び１６Ｅから均一な吸気量で湯気を吸引する。湯気排出ダクト２１に流れた湯気は湯気排出口２２から排出される。
【００２１】
パネル部１９は、湯気とともに吸引された粉原料が挿通孔１９Ａに堆積して詰まりを生じた場合にパネル部１９と上部筐体１６の間の隙間Ｌより湯気を通過させる。
【００２２】
上部筐体１６では、上部内壁から背面側内壁にかけて粉原料の堆積物が多く付着することから、蓋部１８を背面側方向に取り外すことによって、この部分の粉原料の堆積物を効率良く除去することができる。また、パネル部１９の清掃を行うときは上部筐体１６と下部筐体２０とを分割することによってパネル部１９の取り外しが可能になり、清掃、交換等の作業を行うことができる。
【００２３】
上記した飲料供給装置の湯気搬出構造によると、上部筐体１６と下部筐体２０によって形成される箱状の湯気吸引部１５を介して湯気を吸引するので、湯気の吸引経路の断面積を大にすることができ、湯気とともにミキシングボールから吸引される粉原料の堆積による吸引効率の低下を防ぐことができる。湯気吸引部１５の内部に設けられるパネル部１９は、略全面に均一に設けられる複数の挿通孔１９Ａによって所定の圧損を生じることにより各ミキシングボールから吸引する湯気の吸引量を均等化し、湯気とともに吸引された粉原料を付着させて分離するフィルタとして機能する。汚れたパネル部１９は上部筐体１６と下部筐体２０を分割して取り外すことにより洗浄することができる。
【００２４】
また、ミキシングボールの近傍に湯気吸引部１５を配置することで、湯気の吸引経路が短縮され、ミキシングボールの接続取り付け作業性を向上させることができる。
【００２５】
上記した実施の形態では、パネル部の略全面に均一に挿通孔を形成しているが、装着されるミキシングボールの数、及びブロアの吸引能力に応じて孔の数、径、及び配置を変更することができる。
【００２６】
【発明の効果】
以上説明した通り、本発明の飲料供給装置の湯気排出構造によると、混合器から湯気を吸引して排出する負圧を発生する負圧発生源と、負圧発生源と混合器との間に形成され、負圧によって内部を負圧の状態にされた負圧室と、負圧室に配置され、混合器に一様に負圧をかける複数の開孔を形成された開孔パネルを有し、開孔パネルが、負圧室との間に所定の隙間を有するように装着され、粉原料の堆積によって開孔が閉塞したとき隙間を介して湯気を排出するようにしたため、粉原料の付着による湯気の吸引効率の低下、及び詰まりを生じることなく、吸引経路のコンパクト化を図ることができる。
【図面の簡単な説明】
【図１】本発明の実施の形態における飲料供給装置の湯気排出構造の断面図。
【図２】本発明の実施の形態における飲料供給装置の湯気排出構造の分解斜視図。
【図３】本発明の実施の形態における飲料供給装置の湯気排出構造の断面図。
【図４】従来の飲料供給装置を示す斜視図。
【図５】従来の飲料供給装置の湯気排出構造を部分的に示す説明図。
【符号の説明】
１，粉原料貯蔵部
１Ａ〜１Ｇ，貯蔵容器
２，粉原料供給部
２Ａ〜２Ｇ，粉原料供給口
３，回転軸
４，減速部
５，支持板
５Ａ，開口
６，モータ
８，粉原料シュート部
８Ａ〜８Ｅ，シュート
８ａ，取付片
８ｂ，傾斜部
８ｃ，切欠部
８ｄ，傾斜部
９，ミキシングボール部
９Ａ〜９Ｅ，ミキシングボール
９ａ，飲料供給パイプ
９ｂ，ホース接続部
１０，攪拌モータ
１０Ａ〜１０Ｅ，攪拌モータ
１０ａ，台
１０ｂ，モータ固定部材
１１，粉原料シュート支持部材
１１Ｂ〜１１Ｅ，ホース
１２，排気ファンユニット
１２Ｂ〜１２Ｅ，ホース接続部
１３，シャフト
１３Ａ，水流安定部材
１３Ｂ，水流安定部材
１４，攪拌羽
１５，湯気吸引部
１６，上部筐体
１６Ａ〜１６Ｅ，開口部
１７，湯気誘導部
１８，蓋部
１９，パネル部
１９Ａ，挿通孔
２０，下部筐体
２０Ａ，ダクト入口
２１，湯気排出ダクト
２２，湯気排出口
２３，ブロア
２４，止めネジ
Ｌ，隙間
【図１】
0003939012.tif 000002
【図２】
0003939012.tif 000003
【図３】
0003939012.tif 000004
【図４】
0003939012.tif 000005
【図５】
0003939012.tif 000006